(57)【要約】【課題】物品の外周面が他の部材に接触することを抑制できる物品固定具及び梱包用品を提供すること。【解決手段】物品固定具は、第１シート部と、第２シート部と、を備える。第１シート部は、第１方向に沿って延びる突起形成部と、突起形成部の端部に接続した底面部とを備える。突起形成部は、第１方向と交差する第２方向に沿って延びる第１谷折り罫線及び第２谷折り罫線と、第１谷折り罫線及び前記第２谷折り罫線に挟まれた位置にあり、第２方向に沿って延びる山折り罫線とを備える。第２シート部は開口部を備える。第１谷折り罫線、山折り罫線、及び第２谷折り罫線を折ることで、突起形成部を突起の形態とした状態で、第２シート部を第１シート部に重ねたとき、突起形成部は開口部を貫通し、底面部は第２シート部と対向する。【選択図】 図１
2019189244.tif 000002
【特許請求の範囲】
【請求項１】
第１シート部と、第２シート部と、を備える物品固定具であって、
前記第１シート部は、
第１方向に沿って延びる突起形成部と、
前記第１方向における前記突起形成部の端部に接続した底面部と、
を備え、
前記突起形成部は、
前記第１方向と交差する第２方向に沿って延びる第１谷折り罫線及び第２谷折り罫線と、
前記第１谷折り罫線及び前記第２谷折り罫線に挟まれた位置にあり、前記第２方向に沿って延びる山折り罫線と、
を備え、
前記第２シート部は開口部を備え、
前記第１谷折り罫線、前記山折り罫線、及び前記第２谷折り罫線を折ることで、前記突起形成部を突起の形態とした状態で、前記第２シート部を前記第１シート部に重ねたとき、前記突起形成部は前記開口部を貫通し、前記底面部は前記第２シート部と対向するように構成された物品固定具。
【請求項２】
請求項１に記載の物品固定具であって、
前記第１シート部は、複数の前記突起形成部を備え、
前記第２シート部は、複数の前記突起形成部に対応する前記開口部を備える物品固定具。
【請求項３】
請求項２に記載の物品固定具であって、
複数の前記突起形成部は、前記第２方向に沿って、所定の間隔をおいて配列されている物品固定具。
【請求項４】
請求項１〜３のいずれか１項に記載の物品固定具であって、
前記第１方向に沿った断面において、前記突起形成部の幅は、前記突起形成部の根元側にゆくほど広い物品固定具。
【請求項５】
請求項１〜４のいずれか１項に記載の物品固定具であって、
前記第１方向に沿った断面において、前記突起形成部の形態は、前記山折り罫線を頂点とするＶ字型の形態である物品固定具。
【請求項６】
請求項１〜５のいずれか１項に記載の物品固定具と、
前記物品固定具を収容する外箱と、
を備える梱包用品。
【発明の詳細な説明】
【技術分野】
【０００１】
本開示は物品固定具及び梱包用品に関する。
【背景技術】
【０００２】
箱に複数の物品を梱包する場合、箱の内部に仕切りを設ける。仕切りは、箱の内部の空間を複数の空間に分割する。分割された複数の空間のそれぞれに、１つの物品を収納することができる（特許文献１参照）。  
【先行技術文献】
【特許文献】
【０００３】
【特許文献１】特開２００４−１８０６４号公報
【発明の概要】
【発明が解決しようとする課題】
【０００４】
仕切りを用いて物品を梱包する場合、梱包する物品の外周面が仕切りに接触してしまう。物品の外周面が仕切りに接触すると、塗装が剥がれる等の問題が生じる。本開示の一局面は、物品の外周面が他の部材に接触することを抑制できる物品固定具及び梱包用品を提供することを目的とする。
【課題を解決するための手段】
【０００５】
本開示の一局面は、第１シート部と、第２シート部と、を備える物品固定具である。前記第１シート部は、第１方向に沿って延びる突起形成部と、前記第１方向における前記突起形成部の端部に接続した底面部とを備える。前記突起形成部は、前記第１方向と交差する第２方向に沿って延びる第１谷折り罫線及び第２谷折り罫線と、前記第１谷折り罫線及び前記第２谷折り罫線に挟まれた位置にあり、前記第２方向に沿って延びる山折り罫線と、を備える。前記第２シート部は開口部を備える。前記第１谷折り罫線、前記山折り罫線、及び前記第２谷折り罫線を折ることで、前記突起形成部を突起の形態とした状態で、前記第２シート部を前記第１シート部に重ねたとき、前記突起形成部は前記開口部を貫通し、前記底面部は前記第２シート部と対向する。
【０００６】
本開示の一局面である物品固定具は、例えば、以下のように使用できる。固定する物品は、下側に開口する孔を有する。本開示の一局面である物品固定具が備える、突起の形態となった突起形成部を、物品が備える孔に差し込む。このとき、物品は固定され、物品の動きは制限される。よって、本開示の一局面である物品固定具を用いれば、固定した物品の外周面が他の部材に接触することを抑制できる。
【０００７】
本開示の別の局面は、本開示の一局面である物品固定具と、前記物品固定具を収容する外箱と、を備える梱包用品である。本開示の別の局面である梱包用品は、例えば、以下のように使用できる。物品固定具を外箱の中に収容する。物品は、下側に開口する孔を有する。物品固定具が備える、突起の形態となった突起形成部を、物品が備える孔に差し込む。このとき、物品は固定され、物品の動きは制限される。また、物品は外箱の内部に梱包される。よって、本開示の別の局面である梱包用品を用いれば、梱包した物品の外周面が他の部材や外箱の内面に接触することを抑制できる。
【０００８】
ここで「固定」とは、厳密な意味での固定に限るものではなく、上記と同様の効果を奏するのであれば、一定の範囲で動く余地を有していてもよい。
【図面の簡単な説明】
【０００９】
【図１】物品固定具１の構成を表す分解斜視図である。
【図２】第１シート部３の構成を表す平面図である。
【図３】突起形成状態にある第１シート部３の構成を表す斜視図である。
【図４】第２シート部５の構成を表す平面図である。
【図５】物品固定具１の構成を表す斜視図である。
【図６】図５におけるVI-VI断面での断面図である。
【図７】物品固定具１と、固定された物品４５と、外箱４３との構成を表す平面図である。
【図８】図７におけるVIII-VIII断面での断面図である。
【図９】２つの物品固定具１を積み重ねた状態を表す斜視図である。
【図１０】図１０Ａ〜図１０Ｃは、それぞれ、突起形成部７の別形態を表す断面図である。
【図１１】開口部３３、３５、３７、３９の別形態を表す平面図である。
【図１２】開口部３３の別形態を表す平面図である。
【発明を実施するための形態】
【００１０】
本開示の例示的な実施形態を、図面を参照しながら説明する。
＜第１実施形態＞
１．物品固定具１の構成
物品固定具１の構成を図１〜図６に基づき説明する。図１に示すように、物品固定具１は、２枚の第１シート部３と、１枚の第２シート部５とを備える。
【００１１】
図２に示すように、第１シート部３は、１枚のシートから構成される。第１シート部３の材質は特に限定されず、例えば、段ボール等である。第１シート部３は、複数の突起形成部７、８と、複数の底面部９、１１、１３と、を備える。
【００１２】
複数の突起形成部７、８は、それぞれ、第１方向Ｘ１に沿って延びる帯状の部分である。複数の突起形成部７は、第２方向Ｘ２に沿って、所定の間隔をおいて配列されている。第２方向Ｘ２は第１方向Ｘ１と直交する方向である。なお、直交は交差に対応する。交差とは非平行であることを意味する。第２方向Ｘ２と第１方向Ｘ１とが成す角度は９０度以外の角度であってもよい。複数の突起形成部８は、第２方向Ｘ２に沿って、所定の間隔をおいて配列されている。
【００１３】
底面部９、１１、１３は、それぞれ、第２方向Ｘ２に沿って延びる帯状の部分である。底面部９、１１、１３は、第１方向Ｘ１に沿って、間隔をおいて配列されている。底面部９は、複数の突起形成部７における端部７Ａに接続している。底面部１１は、複数の突起形成部７における端部７Ｂに接続している。端部７Ａ及び端部７Ｂは、それぞれ、第１方向Ｘ１における突起形成部７の端部である。底面部１１は、複数の突起形成部８における端部８Ａに接続している。底面部１３は、複数の突起形成部８における端部８Ｂに接続している。端部８Ａ及び端部８Ｂは、それぞれ、第１方向Ｘ１における突起形成部８の端部である。
【００１４】
複数の突起形成部７は、それぞれ、第１谷折り罫線１５と、第２谷折り罫線１７と、山折り罫線１９と、を備える。第１谷折り罫線１５、第２谷折り罫線１７、及び山折り罫線１９は、それぞれ、第２方向Ｘ２に沿って延びる。山折り罫線１９は、第１谷折り罫線１５及び第２谷折り罫線１７に挟まれた位置にある。山折り罫線１９は、第１谷折り罫線１５及び第２谷折り罫線１７から等距離の位置にある。第１谷折り罫線１５は、端部７Ａ上にある。第２谷折り罫線１７は、端部７Ｂ上にある。
【００１５】
複数の突起形成部８は、それぞれ、第１谷折り罫線２１と、第２谷折り罫線２３と、山折り罫線２５と、を備える。第１谷折り罫線２１、第２谷折り罫線２３、及び山折り罫線２５は、それぞれ、第２方向Ｘ２に沿って延びる。山折り罫線２５は、第１谷折り罫線２１及び第２谷折り罫線２３に挟まれた位置にある。山折り罫線２５は、第１谷折り罫線２１及び第２谷折り罫線２３から等距離の位置にある。第１谷折り罫線２１は、端部８Ａ上にある。第２谷折り罫線２３は、端部８Ｂ上にある。
【００１６】
底面部１１の第２方向Ｘ２における両端には、それぞれ、係合片２７が形成されている。係合片２７は、一対の切り込み２９と、罫線３１とにより囲まれた部分である。係合片２７は、罫線３１において折り曲げることができる。
【００１７】
図３に示すように、第１谷折り罫線１５及び第２谷折り罫線１７をそれぞれ谷折りし、山折り罫線１９を山折りすることで、複数の突起形成部７の形態を、それぞれ、突起の形態とすることができる。突起の形態は、第１方向Ｘ１に沿った断面において、山折り罫線１９を頂点とするＶ字型の形態である。第１方向Ｘ１に沿った断面において、突起の幅Ｗは、突起の根元側にゆくほど広い。複数の突起形成部７の形態を突起の形態としたとき、底面部９と底面部１１とは当接する。
【００１８】
また、第１谷折り罫線２１及び第２谷折り罫線２３をそれぞれ谷折りし、山折り罫線２５を山折りすることで、複数の突起形成部８の形態を、それぞれ、突起の形態とすることができる。突起の形態は、第１方向Ｘ１に沿った断面において、山折り罫線２５を頂点とするＶ字型の形態である。第１方向Ｘ１に沿った断面において、突起の幅Ｗは、突起の根元側にゆくほど広い。複数の突起形成部８の形態を突起の形態としたとき、底面部１１と底面部１３とは当接する。
【００１９】
以下では、第１シート部３において、複数の突起形成部７、８の形態を突起の形態にした状態を、突起形成状態とする。  
図４に示すように、第２シート部５は、１枚のシートから構成される。第２シート部５の材質は特に限定されず、例えば、段ボール等である。第２シート部５は複数の開口部３３、３５、３７、３９を備える。開口部３３、３５、３７、３９は、第２シート部５を厚み方向に貫通する。
【００２０】
複数の開口部３３は、第２方向Ｘ２に沿って、所定の間隔をおいて配列されている。複数の開口部３５、３７、３９も同様である。開口部３３、３５、３７、３９は、第１方向Ｘ１に沿って、開口部３３、３５、３７、３９の順に、所定の間隔をおいて配列されている。
【００２１】
複数の開口部３３の形状は、それぞれ、同じ大きさの矩形である。矩形を構成する各辺は、第１の方向Ｘ１に直交又は平行である。複数の開口部３５、３７、３９の形状も、複数の開口部３３の形状と同様である。第２シート部５は、第２方向Ｘ２における両端に、それぞれ、一対の切り欠き部４１を備える。
【００２２】
図１に示すように、突起形成状態である２枚の第１シート部３を第１方向Ｘ１に沿って配列し、それらの上に第２シート部５を重ねることができる。以下では、２枚の第１シート部３を、３Ａ、３Ｂとして区別する。
【００２３】
２枚の第１シート部３Ａ、３Ｂに第２シート部５を重ねたとき、図５、図６に示すように、第１シート部３Ａが備える複数の突起形成部７は、それぞれ、開口部３３を貫通する。複数の突起形成部７は、それぞれ、第２シート部５よりも、上方側に突出している。上方側とは、図５における上方向である。開口部３３の内周縁のうち、第２方向Ｘ２に平行な２辺は、突起形成部７のうち、根元側の部分に当接する。根元側とは、図５における下側である。
【００２４】
また、第１シート部３Ａが備える複数の突起形成部８は、それぞれ、開口部３５を貫通する。複数の突起形成部８は、それぞれ、第２シート部５よりも、上方側に突出している。開口部３５の内周縁のうち、第２方向Ｘ２に平行な２辺は、突起形成部８のうち、根元側の部分に当接する。
【００２５】
また、第１シート部３Ｂが備える複数の突起形成部７は、それぞれ、開口部３７を貫通する。複数の突起形成部７は、それぞれ、第２シート部５よりも、上方側に突出している。開口部３７の内周縁のうち、第２方向Ｘ２に平行な２辺は、突起形成部７のうち、根元側の部分に当接する。
【００２６】
また、第１シート部３Ｂが備える複数の突起形成部８は、それぞれ、開口部３９を貫通する。複数の突起形成部８は、それぞれ、第２シート部５よりも、上方側に突出している。開口部３９の内周縁のうち、第２方向Ｘ２に平行な２辺は、突起形成部８のうち、根元側の部分に当接する。
【００２７】
図６に示すように、第１シート部３Ａが備える底面部９、１１、１３は、第２シート部５と対向し、当接している。また、第１シート部３Ｂが備える底面部９、１１、１３も、第２シート部５と対向し、当接している。
【００２８】
突起形成部７、８の幅Ｗは、根元側にゆくほど広い。図５に示すように、第１シート部３Ａ、３Ｂが備える係合片２７は、上方側に折られ、第２シート部５が備える切り欠き部４１に入り込む。
２．物品固定具１の使用方法
物品固定具１は、例えば、以下のように使用できる。図７、図８に示すように、物品固定具１を外箱４３に収容する。物品固定具１と外箱４３との組み合わせは梱包用品に対応する。
【００２９】
複数の突起形成部７、８のそれぞれに、物品４５を取り付ける。図８に示すように、物品４５は、軸方向における１方に開口部４７を備え、他方に底４９を有する筒状の形態を有する。物品４５の向きは、開口部４７が下側になる向きである。突起形成部７、８は、開口部４７から、物品４５の内部に差し込まれる。物品４５は、第２シート部５に接していてもよいし、接していなくてもよい。突起形成部７、８の頂点は、底４９に接していてもよいし、接していなくてもよい。突起形成部７、８が差し込まれた物品４５は固定される。また、物品４５は外箱４３に梱包される。
【００３０】
物品固定具１を物品の固定に使用しないとき、複数の物品固定具１を、図９に示すように積み重ねることができる。このとき、下側に位置する物品固定具１が備える突起形成部７、８は、上側に位置する物品固定具１が備える突起形成部７、８の内部に差し込まれる。
【００３１】
３．物品固定具１が奏する効果
（１Ａ）図７、図８に示すように、複数の突起形成部７、８のそれぞれに、物品４５を取り付けることができる。このとき、物品４５は、複数の突起形成部７、８により固定される。その結果、物品４５の動きは制限される。そのことにより、物品固定具１を用いれば、物品４５の外周面が他の部材や外箱４３の内周面等に接触することを抑制できる。
【００３２】
（１Ｂ）図５、図６に示すように、突起形成部７、８は開口部３３、３５、３７、３９に差し込まれる。そのため、突起形成部７、８は広がり難く、突起の形態を維持することができる。
（１Ｃ）図１に示すように、第１シート部３と第２シート部５とを分離することができる。さらに、図２に示すように、突起形成部７、８を平らな状態とすることができる。このとき、第１シート部３及び第２シート部５は、それぞれ、平らなシートとなる。よって、物品固定具１を保管するスペースを低減できる。
【００３３】
（１Ｄ）図９に示すように、複数の物品固定具１を積み重ねることができる。そのため、物品固定具１を保管するスペースを低減できる。
（１Ｅ）物品固定具１は、複数の突起形成部７、８を備える。そのため、複数の物品４５を固定することができる。
【００３４】
（１Ｆ）複数の突起形成部７、８は、第２方向Ｘ２に沿って、所定の間隔をおいて配列されている。そのため、複数の物品４５を、第２方向Ｘ２に沿って配列し、固定することができる。
（１Ｇ）図６に示すように、第１方向Ｘ１に沿った断面において、突起形成部７、８の幅Ｗは、突起形成部７、８の根元側にゆくほど広い。そのため、図９に示すように、複数の物品固定具１を積み重ねるとき、下側に位置する物品固定具１が備える突起形成部７、８が、上側に位置する物品固定具１が備える突起形成部７、８の内部に容易に差し込まれる。その結果、複数積み重ねられた物品固定具１の全体の高さを低減することができる。
【００３５】
（１Ｆ）図６に示すように、第１方向Ｘ１に沿った断面において、突起形成部７、８の形態は、山折り罫線１９、２５を頂点とするＶ字型の形態である。そのため、突起形成部７、８が、第１方向Ｘ１において傾いたり、変形したりすることを抑制できる。
＜他の実施形態＞
以上、本開示の実施形態について説明したが、本開示は上述の実施形態に限定されることなく、種々変形して実施することができる。
【００３６】
（１）突起形成部７の形態は、他の形態であってもよい。例えば、図１０Ａに示すように、突起形成部７の形態は、第１方向Ｘ１に沿った断面において、板状の形態であってもよい。また、図１０Ｂに示すように、突起形成部７の形態は、第１方向Ｘ１に沿った断面において、長方形の形態であってもよい。この場合、突起形成部７は、２本の山折り罫線１９を備える。また、図１０Ｃに示すように、突起形成部７の形態は、第１方向Ｘ１に沿った断面において、台形の形態であってもよい。この場合、突起形成部７は、２本の山折り罫線１９を備える。突起形成部８の形態も、図１０Ａ〜図１０Ｃに示す形態のいずれかであってもよい。
【００３７】
（２）第２シート部５が備える開口部３３、３５、３７、３９の形態は、他の形態であってもよい。例えば、図１１に示すように、開口部３３、３５、３７、３９は、それぞれ、第１方向Ｘ１に沿って延びる１つの開口部であってもよい。この場合、第１シート部３Ａが備える複数の突起形成部７が、１つの開口部３３を貫通する。また、第１シート部３Ａが備える複数の突起形成部８が、１つの開口部３５を貫通する。また、第１シート部３Ｂが備える複数の突起形成部７が、１つの開口部３７を貫通する。また、第１シート部３Ｂが備える複数の突起形成部８が、１つの開口部３９を貫通する。
【００３８】
（３）開口部３３の形態は他の形態であってもよい。例えば、図１２に示すように、第２シート部５は、切れ目５１、５３、５５と、罫線５７、５９を有する。切れ目５１、５５は、長方形の短辺の位置にある。罫線５７、５９は、前記の長方形の長辺の位置にある。切れ目５３は、切れ目５１の中点から、切れ目５５の中点まで連続する。罫線５７と切れ目５３とに挟まれた部分を第１折り曲げ部６１とする。罫線５９と切れ目５３とに挟まれた部分を第２折り曲げ部６３とする。罫線５７において第１折り曲げ部６１を折り曲げ、罫線５９において第２折り曲げ部６３を折り曲げることで、開口部３３が形成される。開口部３５、３７、３９の形態も、図１２に示すものであってもよい。
【００３９】
（４）第１シート部３と第２シート部５とを重ねたとき、底面部９、１１、１３と、第２シート部５との間に隙間が存在してもよい。
（５）物品固定具１は、外箱４３に収容されない状態でも使用できる。物品固定具１は、例えば、物品の一時保管、物品のディスプレイ等の用途に用いることができる。
【００４０】
（６）第１シート部３及び第２シート部５は、連続した１枚のシートから構成されてもよい。例えば、１枚のシートに罫線を設け、その罫線から見て一方の領域を第１シート部３とし、反対の領域を第２シート部５とすることができる。
【００４１】
（７）物品固定具１は、単一の突起形成部を備えていてもよい。
（８）突起形成部７において、端部７Ａの少なくとも一部は底面部９に接続していなくてもよい。また、端部７Ｂの少なくとも一部は底面部１１に接続していなくてもよい。突起形成部８についても同様である。
（９）上記各実施形態における１つの構成要素が有する機能を複数の構成要素に分担させたり、複数の構成要素が有する機能を１つの構成要素に発揮させたりしてもよい。また、上記各実施形態の構成の一部を省略してもよい。また、上記各実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【００４２】
（１０）上述した物品固定具の他、当該物品固定具を構成要素とするシステム、物品固定方法、物品梱包方法、物品一時保管方法、物品ディスプレイ方法等、種々の形態で本開示を実現することもできる。
【符号の説明】
【００４３】
１…物品固定具、３、３Ａ、３Ｂ…第１シート部、５…第２シート部、７、８…突起形成部、７Ａ、７Ｂ、８Ａ、８Ｂ…端部、９、１１、１３…底面部、１５、２１…第１谷折り罫線、１７、２３…第２谷折り罫線、１９、２５…山折り罫線、２７…係合片、２９…切り込み、３１…罫線、３３、３５、３７、３９…開口部、４１…切り欠き部、４３…外箱、４５…物品、４７…開口部、４９…底、５１、５３、５５…切れ目、５７、５９…罫線、６１…第１折り曲げ部、６３…第２折り曲げ部
【図１】
2019189244.tif 000003
【図２】
2019189244.tif 000004
【図３】
2019189244.tif 000005
【図４】
2019189244.tif 000006
【図５】
2019189244.tif 000007
【図６】
2019189244.tif 000008
【図７】
2019189244.tif 000009
【図８】
2019189244.tif 000010
【図９】
2019189244.tif 000011
【図１０】
2019189244.tif 000012
【図１１】
2019189244.tif 000013
【図１２】
2019189244.tif 000014